【事件の表示】
　特許第３００８０９８号「パチンコ機」の請求項１に係る特許に対する特許異議の申立てについて、次のとおり決定する。
【結　論】
　訂正を認める。
　特許第３００８０９８号の請求項１に係る特許を取り消す。
【理　由】
１・手続の経緯
　特許第３００８０９８号の発明についての出願は、昭和６２年５月２８日に出願された実用新案登録出願（実願昭６２−７９９９０号）の一部が、（旧）実用新案法第９条第１項の規定で準用する特許法第４４条の規定により、平成３年５月２７日に新たな実用新案登録出願（実願平３−４６７５１号）とされ、この新たな実用新案登録出願が、特許法第４６条第１項の規定により、平成３年５月２８日に特許出願（特願平３−１５０９０７号）に変更され、この特許出願の一部が、特許法第４４条の規定により、平成８年３月１１日に新たな特許出願（特願平８−８２０３３号）とされ、この新たな特許出願の一部が、同規定により平成９年１月２７日に新たな特許出願（特願平９−２７１８８号）とされ、この新たな特許出願の一部が、同規定により、平成１０年９月２８日に新たな特許出願とされたものであって、平成１１年１２月３日にその発明について特許権の設定登録がなされ、その後、その特許について、特許異議申立人・細江裕実より特許異議の申立てがなされ、平成１２年１２月２２日付け取消しの理由が通知され、その指定期間内である平成１３年３月１２日に訂正請求（後日取下げ）がなされた後、平成１３年７月２日付けで再度の取消しの理由が通知され、その指定期間内である平成１３年９月１０日に訂正請求がなされたものである。
２・訂正の適否についての判断
（１）訂正の内容
ア・訂正事項ａ
　「【請求項１】遊技者にとって有利な特別遊技を開始可能な表示装置と、該表示装置を制御する処理部とを備えたパチンコ機において、
　前記処理部は、パチンコ機の制御装置から複数回に渡って送信されるデータに基づいて表示装置を制御するマイクロコンピュータを備えると共に前記制御装置と接続するための外部接続端子を配設した制御基板上に構成され、
　前記制御基板を互に電気的に接続される第１の基板と第２の基板とから構成し、前記第１の基板には表示装置の表示部を設け、前記第２の基板上に前記外部接続端子を配設すると共に、該第２の基板を前記第１の基板の後方側に積層状に配置し、
　前記処理部を前記表示装置の背面側に一体的に設けたことを特徴とするパチンコ機。
【請求項２】前記制御基板の処理部は、データに基づいて図柄データに変換して表示制御するようにしたことを特徴とする請求項１に記載のパチンコ機。」とある特許請求の範囲の記載を、
「【請求項１】遊技者にとって有利な特別遊技を開始可能な表示装置と、該表示装置を制御する処理部とを備えたパチンコ機において、
　前記処理部は、パチンコ機の制御装置から複数回に渡って送信されるデータに基づいて表示装置を制御するマイクロコンピュータを備えると共に前記制御装置と接続するための外部接続端子を配設した制御基板上に構成され、
　前記制御基板を互に電気的に接続される第１の基板と第２の基板とから構成し、前記第１の基板の前面には表示装置の表示部を設け、前記第２の基板の後面に前記外部接続端子を配設すると共に、該第２の基板を前記第１の基板の後方側に積層状に配置し、
　前記表示装置を制御する処理部を遊技盤に設けられた前記表示装置の背面側に一体的に設けたことを特徴とするパチンコ機。」と訂正する。
イ・訂正事項ｂ
　明細書の段落【０００４】の記載について、
「・・・前記第１の基板には表示装置の表示部を設け、前記第２の基板上に前記外部接続端子を配設すると共に、該第２の基板を前記第１の基板の後方側に積層状に配置し、前記処理部を前記表示装置の背面側に一体的に設けたものである。
　請求項２に記載した発明は、上記請求項１に記載したパチンコ機の構成に加えて、制御基板の処理部は、データに基づいて図柄データに変換して表示制御するようにしたものである。」とあるのを、
「・・・前記第１の基板の前面には表示装置の表示部を設け、前記第２の基板の後面に前記外部接続端子を配設すると共に、該第２の基板を前記第１の基板の後方側に積層状に配置し、前記表示装置を制御する処理部を遊技盤に設けられた前記表示装置の背面側に一体的に設けたものである。」と訂正する。
ウ・訂正事項ｃ
　明細書の段落【００２１】の記載について、
「・・・前記第１の基板には表示装置の表示部を設け、前記第２の基板上に前記外部接続端子を配設すると共に、該第２の基板を前記第１の基板の後方側に積層状に配置し、前記処理部を前記表示装置の・・・」とあるのを、
「・・・前記第１の基板の前面には表示装置の表示部を設け、前記第２の基板の後面に前記外部接続端子を配設すると共に、該第２の基板を前記第１の基板の後方側に積層状に配置し、前記表示装置を制御する処理部を遊技盤に設けられた前記表示装置の・・・」と訂正する。
（２）訂正の目的の適否、新規事項の有無及び拡張・変更の存否
　上記訂正事項ａは、発明を特定する事項である「第１の基板には表示装置の表示部を設け、前記第２の基板上に前記外部接続端子を配設すると共に、該第２の基板を前記第１の基板の後方側に積層状に配置し、前記処理部を前記表示装置」をこれに含まれる事項である「第１の基板の前面には表示装置の表示部を設け、前記第２の基板の後面に前記外部接続端子を配設すると共に、該第２の基板を前記第１の基板の後方側に積層状に配置し、前記表示装置を制御する処理部を遊技盤に設けられた前記表示装置」に変更し、しかも、「第１の基板の前面には表示装置の表示部を設け」る点については、明細書の段落【０００５】の「第１基板２の前面には表示基板４を添設し」に、「第２の基板の後面に前記外部接続端子を配設する」点については、明細書の段落【０００９】の「第２基板３の一縁には外部接続端子１４を設け」並びに図面の【図２】及び【図７】に、「表示装置を制御する処理部」については、明細書の段落【０００５】の「表示処理部６では・・・図柄に変換する処理が実行される」に、「遊技盤に設けられた前記表示装置」については、図面の【図７】に、それぞれ記載されているものと認められるので、特許請求の範囲の減縮を目的とした明細書の訂正に該当し、又、上記訂正事項ｂ及びｃは、上記訂正事項ａと整合を図るものであるから、明りょうでない記載の釈明を目的とした明細書の訂正に該当し、何れも、新規事項の追加に該当せず、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書き、第２項及び第３項の規定に適合するので、当該訂正を認める。
３・特許異議の申立てについての判断
（１）本件発明
　上記２・で示したように上記訂正が認められるから、本件発明は、上記訂正に係る訂正明細書の特許請求の範囲に記載された事項により特定されるとおりのものである。（上記２・（１）ア・訂正事項ａ参照）
（２）引用刊行物に記載された発明
　当審が平成１３年７月２日付けで通知した取消しの理由で引用した、本件出願前に国内において頒布された刊行物である実願昭５８−１９９９５４号（実開昭６０−１０９６８３号）のマイクロフィルム（以下、「刊行物１」という）には、
特に、
（ア）「その状態はゲーム盤４に表わされ、或る得点に達すると変動入賞装置５が打球を受け入れ易い状態に変換し」（明細書第４頁第１０乃至１２行）、「第３図はゲーム盤及び変動入賞装置を一体にしたユニットの斜視図、第４図はユニットを遊技盤に取付けた状態を示した断面図」（明細書第１７頁第１乃至３行）、「液晶駆動基板４３０には、上記ゴムコネクタ４７と対応する位置にドライバ（ＩＣ）４８が設けてある」（明細書第１１頁第２乃至５行）及び図面第４図の記載から、
パチンコ機は、変動入賞装置５を打球を受け入れ易い状態に変換する液晶画像表示装置４０と、ドライバ（ＩＣ）４８とを備えているものと認められること、
（イ）「第２ゲーム装置駆動制御部２００は、第１ゲーム装置の表示態様の連続的作動が停止したときその停止時の表示態様の重み・・・を判別する・・・判別結果に対応して、前記第２ゲーム装置のゲームの進行を指示する予め複数設定された作動情報のいずれかを選択する・・・選択された作動情報に従って第２ゲーム装置のゲームの進行を・・・行なわせしめる・・・変動入賞装置駆動制御部３００は、第２ゲーム装置での表示態様が所定の賞態様を形成・・・したとき所定期間だけ変動入賞装置５を開状態に変換する」（明細書第１４頁第１４行乃至第１５頁第９行）、「液晶駆動基板４３０には、上記ゴムコネクタ４７と対応する位置にドライバ（ＩＣ）４８が設けてある」（明細書第１１頁第２乃至５行）、「液晶表示パネル４１の電極は、ゴムコネクタ４７を介してドライバ（ＩＣ）４８と電気的に接続される」（明細書第１１頁第８乃至１０行）及び図面第４，５，７，９図の記載から、
ドライバ（ＩＣ）４８は、パチンコ機の第２ゲーム装置駆動制御部２００と接続するための接続線を配設した液晶画像パネル４１及び液晶駆動基板４３０上に構成され、遊技盤２に設けられた液晶画像表示装置４０の背面側に一体的に設けられているものと認められること、
（ウ）上記（イ）の明細書第１１頁第２乃至５行、明細書第１１頁第８乃至１０行及び図面第４，５，７図の記載から、
液晶画像パネル４１及び液晶駆動基板４３０は、互いにゴムコネクタ４７で接続される液晶画像パネル４１と液晶駆動基板４３０とから構成され、前記液晶画像パネル４１の前面は、液晶画像表示装置４０の表示部とされ、前記液晶駆動基板４３０の後面には、接続線が配設され、前記液晶駆動基板４３０は、前記液晶画像パネル４１の後方側に積層状に配置されているものと認められること、
からみて、
「変動入賞装置５を打球を受け入れ易い状態に変換する液晶画像表示装置４０と、ドライバ（ＩＣ）４８とを備えたパチンコ機において、
　前記ドライバ（ＩＣ）４８は、パチンコ機の第２ゲーム装置駆動制御部２００と接続するための接続線を配設した液晶画像パネル４１及び液晶駆動基板４３０上に構成され、
　前記液晶画像パネル４１及び液晶駆動基板４３０を互いにゴムコネクタ４７で接続される液晶画像パネル４１と液晶駆動基板４３０とから構成し、前記液晶画像パネル４１は液晶画像表示装置４０の表示部とし、前記液晶駆動基板４３０の後面に前記接続線を配設すると共に、該液晶駆動基板４３０を前記液晶画像パネル４１の後方側に積層状に配置し、
　前記ドライバ（ＩＣ）４８を遊技盤２に設けられた前記液晶画像表示装置４０の背面側に一体的に設けたパチンコ機」を構成とする発明が、
同じく本件出願前に米国内に置いて頒布された刊行物である米国特許第４５１７６５４号明細書（クラス３６４）（以下、「刊行物２」という）には、
特に、
（ア）「ビデオプロセッサの制御下にある、ラッチされた画像アドレスキャラクタメモリ２８は、ビデオディスプレイ上に画像を形成するのに必要な実際のビデオ情報を提供する」（第５欄第６０行ないし６３行）及び「例えば、ピンボールマシンは今やビデオゲームであり、スロットマシンは今やビデオゲーム装置である」（第１欄下から第４８，４７行）の記載から、
ビデオプロセッサ回路がビデオディスプレイを制御し、ビデオプロセシングアーキテクチャがゲーム用であるものと認められること、
（イ）前記（ア）の第５欄第６０行ないし６３行、「本発明は、入力バスから供給されるデータを受け取り、供給されたデータから画像を形成する技術に関する。そして、データがゲーム回路から供給されることを特徴とする。ゲームの動画と、ゲームの画像表示のためのデータは、図１に示すように、ビデオ中央処理装置（ＣＰＵ）１０に供給される。ＣＰＵは、ゲームの操作信号に基づいて、ビデオに関する全ての制御を行う」（第３欄下から第１９ないし１１行）、「ビデオプロセッサはゲームプロセッサアドレス線を含み、それによってビデオプロセッサはゲームプロセッサデータバスに接続される。ゲームプロセッサ（図示されていない）からのデータは、ビデオプロセッサ１０によってデータバスを介して受取られる」（第４欄第６３ないし６７行）、図１（シート１）及び図２（シート２，３）の記載から、
ビデオプロセッサ回路がビデオプロセシングアーキテクチャのゲーム回路から送信されるデータに基づいてビデオディスプレイを制御するビデオ中央処理装置（ＣＰＵ）１０を備えているものと認められること、
からみて、
「ビデオディスプレイと、該ビデオディスプレイを制御するビデオプロセッサ回路とを備えたゲーム用ビデオプロセシングアーキテクチャにおいて、
　前記ビデオプロセッサ回路は、ゲーム用ビデオプロセシングアーキテクチャのゲーム回路から送信されるデータに基づいてビデオディスプレイを制御するビデオ中央処理装置（ＣＰＵ）１０を備えるゲーム用ビデオプロセシングアーキテクチャ」を構成とする発明が、
同じく本件出願前に国内において頒布された刊行物である特開昭５９−２０８５８０号公報（以下、「刊行物３」という）には、
特に、
「第７図は９ビツトのデータを送る時の送り方を示す図であり、４本のデータ線ｂ１〜ｂ４のデータを（ａ）〜（ｄ）の４回に分けて送るもので」（第３頁右下欄第１７乃至２０行）及び第７図（第６頁）の記載、
からみて、
「ＬＣＤ駆動回路ユニット４ｂにより制御される表示ユニット４を備える自動車用表示装置において、
　前記ＬＣＤ駆動回路ユニット４ｂは、自動車用表示装置の操作部２から複数回に渡って送信されるデータに基づいて表示ユニット４を制御するマイクロコンピュータを備えると共に前記操作部２と接続するためのワイヤーハーネス３を配設したＬＣＤ４ａ及びプリント基板７上に構成され、
　前記ＬＣＤ４ａ及びプリント基板７を互いに導電ゴム８ａで接続されるＬＣＤ４ａとプリント基板７とから構成し、前記ＬＣＤ４ａは表示ユニット４の表示部とし、前記プリント基板７上に前記ワイヤーハーネス３を配設すると共に、該プリント基板７を前記ＬＣＤ４ａの後方側に積層状に配置し、
　前記ＬＣＤ駆動回路ユニット４ｂを前記表示ユニット４の背面側に一体的に設けた自動車用表示装置」を構成とする発明が、
同じく本件出願前に国内で頒布された刊行物である実願昭５６−６６７８９号（実開昭５７−１８０３８１号）のマイクロフィルム（以下、「刊行物４」という）には、
特に、図面第１図の記載からみて、
「印刷配線基板を互いに電気的に接続される印刷配線基板３と印刷配線基板４とから構成し、前記印刷配線基板３の前面には表示装置のプラズマディスプレイパネル１の表示部２を設け、前記印刷配線基板４の後面にコネクタを配設すると共に、該印刷配線基板４を前記印刷配線基板３の後方側に積層状に配置した表示装置」を構成とする発明が、
同じく本件出願前に国内で頒布された刊行物である実願昭５９−１６２３３０号（実開昭６１−７７０７８号）のマイクロフィルム（以下、「刊行物５」という）には、
「遊戯上での最も有利な特典が与えられる表示装置７と、液晶駆動回路１６とを備えたパチンコ機において、
　前記液晶駆動回路１６は、パチンコ機の制御回路３３と接続するためのソケット３５を配設したカセット１５中に構成され、
　前記カセット１５中に互いに電気的に接続される表示装置７の液晶板１２と前記液晶駆動回路１６を設け、前記カセット１５の上部に前記ソケット３５を配設したパチンコ機」を構成とする発明が、
それぞれ記載されているものと認められる。
（３）対比及び判断
　そこで、本件発明（前者）と刊行物１に記載された発明（後者）とを対比するに、
後者の
「変動入賞装置５を打球を受け入れ易い状態に変換する」、「液晶画像表示装置４０」、「第２ゲーム装置駆動制御部２００」及び「ゴムコネクタ４７で」
がそれぞれの機能に照らし、それぞれ
前者の
「遊技者にとって有利な特別遊技を開始可能な」、「表示装置」、「制御装置」及び「電気的に」
に相当するものと認められ、
又、後者の「液晶画像パネル４１」が「基板」であることは技術常識であるものと認められる（なお、このことは、刊行物１の明細書第９頁第１１ないし１６行「液晶画像パネル４１は、第６図に示すように、液晶物質４１０を、透明電極４１３を付けた２枚のガラス板４１１，４１２で挟み、その際、ガラス板間にスペーサ４１４を設けて液晶層４１０の厚みを一定に保ち、周囲を封着剤４１５で封止して機密性を保った構造である」及び図面第６図の記載からも明らかであるものと認められる）から、
後者の
「液晶画像パネル４１及び液晶駆動基板４３０」、「液晶画像パネル４１」及び「液晶駆動基板４３０」
がそれぞれ
前者の
「制御基板」、「第１の基板」及び「第２の基板」
を構成しているものと認められ、
したがって、
両者は、
「遊技者にとって有利な特別遊技を開始可能な表示装置と、表示装置に関わる部材とを備えたパチンコ機において、
　前記表示装置に関わる部材は、パチンコ機の制御装置と接続するための接続に関わる部材を配設した制御基板上に構成され、
　前記制御基板を互いに電気的に接続される第１の基板と第２の基板とから構成し、前記第１の基板には表示装置の表示部に関わる部材を構成し、前記第２の基板の後面に前記接続に関わる部材を配設すると共に、該第２の基板を前記第１の基板の後方側に積層状に配置し、
　前記表示装置に関わる部材を遊技盤に設けられた前記表示装置の背面側に一体的に設けたパチンコ機」である
点において一致し、
（１）表示装置に関わる部材が、
前者は、制御装置から複数回に渡って送信されるデータに基づいて表示装置を制御するマイクロコンピュータを備えた処理部である、
のに対し、
後者は、ドライバ（ＩＣ）である、
（２）表示部に関わる部材が、
前者は、第１の基板の前面に設けた表示部である、
のに対し、
後者は、第１の基板である、
（３）接続に関わる部材が、
前者は、外部接続端子である、
のに対し、
後者は、接続線である、
点において相違するものと認められる。
　しかし、前記相違点（１）についてみるに、
刊行物２に記載された発明の
「ビデオディスプレイ」、「ビデオプロセッサ回路」、「ゲーム回路」及び「ビデオ中央処理装置（ＣＰＵ）１０」
がそれぞれの機能に照らし、それぞれ
前者の
「表示装置」、「処理部」、「制御装置」及び「マイクロコンピュータ」
に相当するものと認めらるから、
刊行物２に記載された発明には、
「表示装置と、該表示装置を制御する処理部とを備えたゲーム用ビデオプロセシングアーキテクチャにおいて、
　前記処理部は、ゲーム用ビデオプロセシングアーキテクチャの制御装置から送信されるデータに基づいて表示装置を制御するマイクロコンピュータを備えるゲーム用ビデオプロセシングアーキテクチャ」
という構成、
すなわち、
前記相違点（１）の前者の構成の一部である「制御装置から送信されるデータに基づいて表示装置を制御するマイクロコンピュータを備える処理部」という構成、
が備わっているものと認められる。
　ところで、刊行物２に記載された発明には、前記相違点（１）の他部である、「データが複数回に渡って送信される」ことにについては明らかにされていないところ、かかる手段は、データ送信の技術において、従来周知の技術的事項にすぎない。
　例えば、
刊行物３に記載された発明の
「表示ユニット４」、「ＬＣＤ駆動回路ユニット４ｂ」、「操作部２」及び「導電ゴム８ａで」
がそれぞれの機能に照らし、それぞれ
前者の
「表示装置」、「処理部」、「制御装置」及び「電気的に」
に相当するものと認めら、
又、刊行物３に記載された発明の「ＬＣＤ４ａ」が「基板」であることは、上記したように、技術常識であるものと認められるれるから、
刊行物３に記載された発明の
「ＬＣＤ４ａ及びプリント基板７」、「ＬＣＤ４ａ」及び「プリント基板７」
がそれぞれ
前者の
「制御基板」、「第１の基板」及び「第２の基板」
を構成しているものと認められ、
したがって、
刊行物３に記載された発明には、
「表示装置と、該表示装置を制御する処理部とを備えた自動車用表示装置において、
　前記処理部は、自動車用表示装置の制御装置から複数回に渡って送信されるデータに基づいて表示装置を制御するマイクロコンピュータを備えると共に前記制御装置と接続するためのワイヤーハーネス３を配設した制御基板上に構成され、
　前記制御基板を互いに電気的に接続される第１の基板と第２の基板とから構成し、前記第１の基板は表示装置の表示部とし、前記第２の基板上に前記ワイヤーハーネス３を配設すると共に、該第２の基板を前記第１の基板の後方側に積層状に配置し、
　前記処理部を前記表示装置の背面側に一体的に設けた自動車用表示装置」
という構成、
すなわち、
「マイクロコンピュータを備えている処理部が、制御装置から複数回に渡って送信されるデータに基づいて表示装置を制御する」という構成、
が備わっているものと認められる。
　そうすると、（ア）刊行物２に記載された発明の「ゲーム用ビデオプロセシングアーキテクチャ」は、後者の「パチンコ機」と同様の技術分野のものであると認められること、（イ）後者のドライバ（ＩＣ）も、刊行物２に記載された発明の処理部も、表示装置に関わる部材であると認められること、（ウ）第１のコンピュータの負荷の軽減を図るために第２のコンピュータを設けること自体、刊行物３に記載された発明もそうなっているように、従来周知の技術的事項である（必要なら、特開昭５９−６４０８２号公報、特開昭５７−１３２２６０号公報を参照されたい）ものと認められること、を勘案すると、
後者に刊行物２に記載された発明を適用し、後者の表示装置に関わる部材である「ドライバ（ＩＣ）」に代え、刊行物２に記載された発明の「制御装置から送信されるデータに基づいて表示装置を制御するマイクロコンピュータを備える処理部」を採用し、
その際、データを複数回に渡って送信することが、例えば、刊行物３に記載された発明にも備わっているように、従来周知の技術的事項であると認められる点に着目して、そのような技術を採用することは、当業者が格別創意工夫を要することではなく、
そして、後者の表示装置に関わる部材である「ドライバ（ＩＣ）」が、そもそも表示装置の背面側に一体的に設けられているのであるから、刊行物２に記載された発明の表示装置に関わる部材である「処理部」を後者に倣ってそのように設けることは、当業者が格別創意工夫を要することではないというべきである。
　又、前記相違点（１）の前者の効果が、後者、刊行物２に記載された発明、例えば刊行物３に記載された発明にも備わっている従来周知の技術的事項及び刊行物３に記載された発明もそうなっている従来周知の技術的事項の各効果の総和以上の格別なものとも認められない。
　次に、前記相違点（２）及び（３）についてみるに、
刊行物４に記載された発明の
「印刷配線基板」、「印刷配線基板３」、「印刷配線基板４」、「プラズマディスプレイパネル１の表示部２」及び「コネクタ」
がそれぞれの機能に照らし、それぞれ
前者の
「制御基板」、「第１の基板」、「第２の基板」、「表示部」及び「外部接続端子」
に相当するものと認められるから、
刊行物４に記載された発明には、
「制御基板を互いに電気的に接続される第１の基板と第２の基板とから構成し、前記第１の基板の前面には表示装置の表示部を設け、前記第２基板の後面に前記外部接続端子を配設すると共に、該第２の基板を前記第１の基板の後方側に積層状に配置した表示装置」という構成、
すなわち、
表示部に関わる部材が、「第１の基板の前面に設けた表示部である」という前記相違点２の前者の構成、
及び、
接続に関わる部材が、「外部接続端子」であるという前記相違点（３）の前者の構成、
がそれぞれ備わっているものと認められる。
　しかして、刊行物４に記載された発明の表示装置を、パチンコ機の表示装置として用いるにつき、これを困難乃至不可能にする技術的理由があるとは認められず、又、後者の「表示装置」も、刊行物４に記載された発明の「表示装置」も、二つの基板を積層状に配置するという構成を備える点で、共通するものであるから、
後者に刊行物４に記載された発明を適用し、後者の表示部に関わる部材を、「第１基板の前面に設けた表示部」とすることは、当業者が格別創意工夫を要することではないというべきである。
　又、
刊行物５に記載された発明の
「遊戯上での最も有利な特典が与えられる」、「制御回路３３」、「ソケット３５」及び「液晶板１２」
がそれぞれの機能に照らし、それぞれ
前者の
「遊技者にとって有利な特別遊技を開始可能な」、「制御装置」、「外部接続端子」及び「表示部」
に相当するものと認められるから、
パチンコ機において、「液晶駆動回路を制御装置と接続するための外部接続端子を配設する」という構成が刊行物５に記載された発明にも備わっているように、接続に関わる部材を接続端子とする構成自体は、従来周知の構成にすぎないものと認められるから、刊行物４に記載された発明及び従来周知の構成の存在の基に、後者の接続に関わる部材である「接続線」を、「外部接続端子」とすることは、
当業者が格別創意工夫を要することではないというべきである。
　又、前記相違点（２）及び（３）の前者の効果が、後者、刊行物４に記載された発明及び刊行物５に記載された発明にも備わっている従来周知の構成の各効果の総和以上の格別なものとも認められない。
（４）むすび
　上記のとおり、本件発明は、上記刊行物１，２及び４に記載された各発明、並びに、例えば刊行物３に記載された発明にも備わっている従来周知の技術的事項、刊行物３に記載された発明もそうなっている従来周知の技術的事項及び刊行物５に記載された発明にも備わっている従来周知の構成に基づいて当業者が容易に発明をすることができたものであるから、本件発明についての特許は、特許法第２９条第２項の規定に違反してされたものである。
　したがって、本件発明についての特許は、特許法第１１３条第２号に該当し、取り消されるべきものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月２３日（２００２．８．２３）
【訂正の要旨】
訂正の要旨
ア・訂正事項ａ
　「【請求項１】遊技者にとって有利な特別遊技を開始可能な表示装置と、該表示装置を制御する処理部とを備えたパチンコ機において、
　前記処理部は、パチンコ機の制御装置から複数回に渡って送信されるデータに基づいて表示装置を制御するマイクロコンピュータを備えると共に前記制御装置と接続するための外部接続端子を配設した制御基板上に構成され、
　前記制御基板を互に電気的に接続される第１の基板と第２の基板とから構成し、前記第１の基板には表示装置の表示部を設け、前記第２の基板上に前記外部接続端子を配設すると共に、該第２の基板を前記第１の基板の後方側に積層状に配置し、
　前記処理部を前記表示装置の背面側に一体的に設けたことを特徴とするパチンコ機。
　【請求項２】前記制御基板の処理部は、データに基づいて図柄データに変換して表示制御するようにしたことを特徴とする請求項１に記載のパチンコ機。」とある特許請求の範囲の記載を、特許請求の範囲の減縮を目的として、
「【請求項１】遊技者にとって有利な特別遊技を開始可能な表示装置と、該表示装置を制御する処理部とを備えたパチンコ機において、
　前記処理部は、パチンコ機の制御装置から複数回に渡って送信されるデータに基づいて表示装置を制御するマイクロコンピュータを備えると共に前記制御装置と接続するための外部接続端子を配設した制御基板上に構成され、
　前記制御基板を互に電気的に接続される第１の基板と第２の基板とから構成し、前記第１の基板の前面には表示装置の表示部を設け、前記第２の基板の後面に前記外部接続端子を配設すると共に、該第２の基板を前記第１の基板の後方側に積層状に配置し、
　前記表示装置を制御する処理部を遊技盤に設けられた前記表示装置の背面側に一体的に設けたことを特徴とするパチンコ機。」と訂正する。
イ・訂正事項ｂ
　明細書の段落【０００４】の記載について、
「・・・前記第１の基板には表示装置の表示部を設け、前記第２の基板上に前記外部接続端子を配設すると共に、該第２の基板を前記第１の基板の後方側に積層状に配置し、前記処理部を前記表示装置の背面側に一体的に設けたものである。
　請求項２に記載した発明は、上記請求項１に記載したパチンコ機の構成に加えて、制御基板の処理部は、データに基づいて図柄データに変換して表示制御するようにしたものである。」とあるのを、明りょうでない記載の釈明を目的として、
「・・・前記第１の基板の前面には表示装置の表示部を設け、前記第２の基板の後面に前記外部接続端子を配設すると共に、該第２の基板を前記第１の基板の後方側に積層状に配置し、前記表示装置を制御する処理部を遊技盤に設けられた前記表示装置の背面側に一体的に設けたものである。」と訂正する。
ウ・訂正事項ｃ
　明細書の段落【００２１】の記載について、
「・・・前記第１の基板には表示装置の表示部を設け、前記第２の基板上に前記外部接続端子を配設すると共に、該第２の基板を前記第１の基板の後方側に積層状に配置し、前記処理部を前記表示装置の・・・」とあるのを、明りょうでない記載の釈明を目的として、
「・・・前記第１の基板の前面には表示装置の表示部を設け、前記第２の基板の後面に前記外部接続端子を配設すると共に、該第２の基板を前記第１の基板の後方側に積層状に配置し、前記表示装置を制御する処理部を遊技盤に設けられた前記表示装置の・・・」と訂正する。
（５４）【発明の名称】
パチンコ機
（５７）【特許請求の範囲】
　【請求項１】　遊技者にとって有利な特別遊技を開始可能な表示装置と、該表示装置を制御する処理部とを備えたパチンコ機において、
　前記処理部は、パチンコ機の制御装置から複数回に渡って送信されるデータに基づいて表示装置を制御するマイクロコンピュータを備えると共に前記制御装置と接続するための外部接続端子を配設した制御基板上に構成され、
　前記制御基板を互に電気的に接続される第１の基板と第２の基板とから構成し、前記第１の基板
の前面
の後面
　前記
表示装置を制御する
遊技盤に設けられた
【発明の詳細な説明】
　【０００１】
　【発明の属する技術分野】
　この発明は、表示装置に各種図柄や文字などの表示態様を表示することのできるパチンコ機に関するものである。
　【０００２】
　【従来の技術】
　周知のように、パチンコ機には、遊技者に遊技状態を可視表示するためや装飾のために多くの表示装置が設けてある。従来の表示装置としては、例えば７セグメントの発光ダイオードの発光部位の組合せにより数字または英文字を表示態様として表示するいわゆるデジタル表示器があり、また回転ドラムの外面に複数の図柄や文字などを描き、表示窓に上記図柄などの一つを臨ませ、上記ドラムの回転により図柄などの表示態様を変化させる回転ドラム表示器などがある。更に、表示素子として発光ダイオードを縦横例えば５×７個配設し、発光部位を選択して表示するマトリクス表示器がある。
　そして、上記デジタル表示器や回転ドラム表示器あるいはマトリクス表示器を複数個連設して各表示を組合せるようにしたものもある。
　【０００３】
　【発明が解決しようとする課題】
　ところで、従来の表示装置は、マイクロコンピュータを備える制御装置によって表示する表示態様を制御している。しかし、従来の制御装置は、表示装置の表示素子を制御すると共に、センター役物等に設けた継続スイッチや１０カウントスイッチ、始動口スイッチ、駆動ソレノイド、或は効果音や表示灯などのパチンコ機全般に亙る制御を行わなければならず、マイクロコンピュータの作業容量は限界に近付いており、複雑な表示態様の表示や高速な処理を実行できない現状にあった。
　また、表示装置を含めて一つの制御装置で行うと、制御装置が大型化して取り扱いが面倒になると共に、配線が複雑となり、複雑化した配線が他の部品の邪魔になる。しかも、パチンコ機では一般にセンター役物が後方へ突出しているため、制御装置が大型化すると取付スペースの自由度が小さくなってしまい取付が困難である。
　更に、表示装置の制御に関する部分に故障や変更が生じた場合でも、制御装置全体を交換しなければならない。一方、遊技の制御に関する部分に故障や変更が生じた場合には、表示装置に関する部分も含めて交換しなければならない。従って、無駄が多く、コストが嵩んでいる。
　本発明は上記に鑑み提案されたもので、省スペースが可能であると共に、配線、組付が容易なパチンコ機を提供することを目的とする。
　【０００４】
　【課題を解決するための手段】
　上記目的を達成するため請求項１に記載した発明は、遊技者にとって有利な特別遊技を開始可能な表示装置と、該表示装置を制御する処理部とを備えたパチンコ機において、前記処理部は、パチンコ機の制御装置から複数回に渡って送信されるデータに基づいて表示装置を制御するマイクロコンピュータを備えると共に前記制御装置と接続するための外部接続端子を配設した制御基板上に構成され、前記制御基板を互に電気的に接続される第１の基板と第２の基板とから構成し、前記第１の基板
の前面
の後面
表示装置を制御する
遊技盤に設けられた
　【０００５】
　【発明の実施の形態】
　以下、本発明を図面の実施の形態について説明する。本発明に係るパチンコ機に用いる表示装置１は、第１基板２と第２基板３とを有し、第１基板２の前面には表示基板４を添設し、第２基板３には、パチンコ遊技の制御を行う第１の制御装置から単一方向にのみ送られるデータに基づいて複数の図柄を変動表示可能な第２の制御装置、即ちサブＭＣＵ（マイクロコンピュータユニット）５を有する表示処理部６を形成する。この表示処理部６では、前記第１の制御装置より不可逆的に送られるデータに基づいて図柄に変換する処理が実行される。
　【０００６】
　第１基板２の前後表面にはプリント配線を適宜施すと共に、後面にはトランジスタ、抵抗などのチップ素子７…を配設して電気回路（主としてドライブ回路）を形成し、周縁部には例えば雄型コネクタ８を配置する。
　【０００７】
　表示基板４は、例えば２０×２０ｍｍ程度の基板であって、この表示基板４の表面に縦横１０×１０個のレンズ部を備えない裸のＬＥＤ素子９を配列する。尚、図１の実施の形態では表示基板４の前面に透光性のあるカバー部材１０を被着している。また、このカバー部材１０に着色することもできる。
　【０００８】
　一方、第２基板３の前後面にはチップ素子７及びサブＭＣＵ５や水晶発振子１１などを配設して表示処理部６となる電気回路を形成し、周縁には雌型コネクタ１２を配置し、この雌型コネクタ１２と前記第１基板２の雄型コネクタ８とを接続する。従って、表示処理部６が表示基板４の裏面側に位置し、第２の制御装置が背面側に設けられた表示装置１となる。尚、図面の実施の形態によれば、第１基板２と第２基板３とを背中合せに両コネクタ８、１２を接合し、支柱１３を介して固定するようになっているが、ケーブルを介して接続するようにしてもよい。
　【０００９】
　また、第２基板３の一縁には外部接続端子１４を設けて、この外部接続端子１４を介してパチンコ機１５の遊技制御を行う第１の制御装置１６に接続可能とする。
　【００１０】
　上記のような表示装置１は、表示処理部６を含めて例えば９０×４５×２５ｍｍ以内に構成でき、一つの表示基板４について１０×１０ドットの図柄表示が可能である。
　【００１１】
　本発明において表示装置１は、例えば図４に示すようなブロック回路を有する第１の制御装置１６によって制御される。そして、本発明では表示装置１に第２の制御装置となる表示処理部６を形成して、第１の制御装置１６におけるメインＭＣＵ１７の負担を軽減させると共に、配線接続を極めて簡単にしている。即ち、メインＭＣＵ１７にはセンター役物１８などに設けた継続スイッチ１９、１０カウントスイッチ２０、始動口スイッチ２１、駆動ソレノイド２２、あるいは電子音発生回路２３、ランプ表示器２４などパチンコ遊技の制御を受け持たせる一方、表示装置１の背面側に設けた表示処理部６のサブＭＣＵ５には第１の制御装置１６から受信するデータに基づいて、表示基板４に配列した各ＬＥＤ素子９の制御を受け持たせて、表示装置１に所定の図柄、文字などの表示態様を表示させるのである。
　【００１２】
　尚、本実施の形態では、ノイズによる暴走を防ぐためにリアルタイムリセット方式を採用し、タイマ回路を省略してメインＭＣＵ１７からリセット信号を受け取り、８ビットデータを４ビットに分割して２度転送することにより接続本数を減少している。そして、本発明によれば、データ４本、電源２本、リセット１本、割込１本、制御信号（８ビットの上下、明暗、桁選択）３本の計１１本の配線で足りるが、従来のようにメインＭＣＵ１７に頼る場合には少なくとも４０本の配線が必要である。また、表示装置１の各ＬＥＤ素子９をメインＭＣＵ１７で制御する場合には処理時間が長くなって表示がチラ付いて見難いものになってしまう。
　【００１３】
　そして、表示装置１の背面側に設けた第２の制御装置としての表示処理部６では図５のフローチャートに示すように、Ｉ／Ｏポートを初期化し、リセット信号をパワーオンによるリセットか割込によるリセットかを判定し、ラム（ＲＡＭ）を初期化し、ノンマスカブルイントラプト（ＮＭＩ）により入力された上下４ビットデータを８ビットデータに変換し、フリーランニングカウンタをリセットし、上記８ビットデータを図柄データに変換して、各ポートに明暗情報として出力し、各表示基板４のＬＥＤ行をスキャンするためのデータを更新し、例えば横行を１０回スキャンし、フリーランニングカウンタが８１９より大きい時はジャンプさせて１回の発光時間を８１９μＳとする。一方、ＮＭＩでは割込データを対応するメモリに格納して復帰する。
　【００１４】
　尚、ＬＥＤスキャン処理を上の行から順番に行なわず、例えば、上段から１−３−５−７−９−２−４−６−８−１０と交互に表示すれば、遊技者の目の残像現象により全体の図柄が見易くなる。
　【００１５】
　図６ないし図７は上記のような表示装置を組み込んだセンター役物１８の一例である。
　【００１６】
　センター役物１８は、取付板２５の中程に横に並ぶ３つの表示窓２６を有し、各表示窓２６には前記表示基板４が臨む。表示窓２６と表示基板４との間には、表示基板４側を縮径させた遮蔽板２７を上記取付板２５から連続して設ける。尚、上記センター役物１８の表示窓２６の上側には、天入賞口２８及び天下入賞口２９を設け、該天入賞口２８及び天下入賞口２９の前面に透光性のある化粧板３０を添設し、該化粧板３０の裏側にはランプ基板３１に取付けたランプ３２を臨ませる。また、上記各入賞口２８、２９には球通路３３、３４を夫々連設する。
　【００１７】
　表示窓２６の下側には、発光ダイオードからなる１０カウント表示部３５、継続球表示部３６、記憶個数表示部３７を設ける。
　【００１８】
　上記のようなセンター役物１８を配設したパチンコ機１５における遊技の一例は、遊技者が発射装置３８で弾発した打球が遊技盤１５´に設けた始動口３９に入賞し、始動口スイッチ２１をオンして特別遊技が開始し、センター役物１８で表示する図柄が高速で変換し、遊技者がタッチスイッチ４０を操作して変換を停止したときの図柄の組み合せにより大入賞口４１を開放する。このように、特別遊技の表示に本発明における表示装置１を使用すれば、制御装置１６のメインＭＣＵ１７の負担が軽減されて高速処理が可能になり、従来の表示器に比べきめ細かな表示が可能になると共に配線や制御が簡単になる。
　【００１９】
　また、本発明によれば、表示素子を第１の制御装置から第２の制御装置へ向けて一方向へ送られるデータに基づいて第２の制御装置によって制御するので、表示装置で表示する図柄を流動的に表示することが容易であって、従来にない新鮮な表示が可能となる。
　【００２０】
　以上、本発明を図示の実施の形態について説明したが、本発明は上記した実施の形態に限定されるものではなく、特許請求の範囲に記載の構成を変更しない限り適宜実施できる。
　【００２１】
　【発明の効果】
　本発明によれば、遊技者にとって有利な特別遊技を開始可能な表示装置と、該表示装置を制御する処理部とを備えたパチンコ機において、前記処理部は、パチンコ機の制御装置から複数回に渡って送信されるデータに基づいて表示装置を制御するマイクロコンピュータを備えると共に前記制御装置と接続するための外部接続端子を配設した制御基板上に構成され、前記制御基板を互に電気的に接続される第１の基板と第２の基板とから構成し、前記第１の基板
の前面
の後面
表示装置を制御する
遊技盤に設けられた
【図面の簡単な説明】
　【図１】
　前面側から見た表示装置の分解斜視図である。
　【図２】
　後面側から見た表示装置の分解斜視図である。
　【図３】
　表示装置に設けた回路のブロック図である。
　【図４】
　制御装置のブロック図である。
　【図５】
　表示処理部におけるフローチャートである。
　【図６】
　表示装置を設けたセンター役物の正面図である。
　【図７】
　表示装置を設けたセンター役物の縦断面図である。
　【図８】
　表示装置を設けたセンター役物を配設した遊技盤の正面図である。
　【図９】
　パチンコ機の背面図である。
　【符号の説明】
　　１　表示装置
　　５　サブＭＣＵ
　　６　表示処理部
　　９　表示素子
　１５　パチンコ機
　１６　制御装置
　１７　メインＭＣＵ